(57)【要約】【課題】什器に電源を供給するための配線が露呈することが抑制された鏡付き什器を提供する。【解決手段】鏡付き什器１００は、床面上に設置され、左右方向に離間して配置された一対の側部部材５と、一対の側部部材５間の上部に、鏡面６９ｆが前方を向くように配置された鏡６９と、上面９ｕに物品が載置可能とされ、一対の側部部材５間に配置された天板９と、一対の側部部材５間の鏡６９よりも下方位置に配置された第一閉塞部材１５と、を備えた鏡付き什器であって、鏡６９及び第一閉塞部材１５の後方には、鏡付き什器の上部から下部まで連続し、配線Ｃが挿通可能な配線挿通空間部Ｓが形成されていることを特徴とする。【選択図】図３
2019072379.tif 000002
【特許請求の範囲】
【請求項１】
床面上に設置され、左右方向に離間して配置された一対の側部部材と、
該一対の側部部材間の上部に、鏡面が前方を向くように配置された鏡と、
上面に物品が載置可能とされ、前記一対の側部部材間に配置された天板と、
前記一対の側部部材間の前記鏡よりも下方位置に配置された第一閉塞部材と、を備えた鏡付き什器であって、
前記鏡及び前記第一閉塞部材の後方には、前記鏡付き什器の上部から下部まで連続し、配線ケーブルが挿通可能な配線挿通空間部が形成されていることを特徴とする鏡付き什器。
【請求項２】
前記一対の側部部材間における前記配線挿通空間部の前方に配置され、電源コンセントが設けられた化粧パネルを備え、
前記配線挿通空間部には、前記電源コンセントに接続された前記配線ケーブルが挿通可能であることを特徴とする請求項１に記載の鏡付き什器。
【請求項３】
前記鏡の上部に設けられた照明装置を備え、
前記配線挿通空間部には、前記照明装置に接続された前記配線ケーブルが挿通可能であることを特徴とする請求項１また２に記載の鏡付き什器。
【請求項４】
前記天板は、前記鏡の下方に配置され、
前記天板の後端部は、前記鏡よりも後方に配置され、
前記天板の後端部には、上方に延び、前記一対の側部部材間における前記配線挿通空間部の前方に配置された第二閉塞部材が設けられていることを特徴とする請求項１から３のいずれか一項に記載の鏡付き什器。
【発明の詳細な説明】
【技術分野】
【０００１】
本発明は、鏡付き什器に関するものである。
【背景技術】
【０００２】
従来から、オフィスや公共施設等のレストルームやロッカールーム等において、利用者が身だしなみを整えたり、化粧をしたりするために、鏡が設けられた什器が設置されていることが多くある。このようの什器には、利用者が鏡を見ながら化粧等をする際に、バッグや化粧品を置く天板が設置されているものもある。
【０００３】
また、天板の上方に、利用者が使用する化粧品等の物品を収容可能なキャビネットが設けられ、キャビネットにおける利用者と対向する側に鏡が設けられた什器が提案されている。このような什器では、鏡が壁等の設置面からキャビネットの奥行の長さ分、利用者側に突出して配置されるため、利用者が化粧等をする際に、利用者が鏡に近接して、鏡に映った自分の顔を明確に視認しやすい（下記の特許文献１〜３参照）。
【０００４】
また、利用者が什器の鏡を見ながらドライヤーや髭剃り等の電気機器を使用できるように、電源コンセントが設けられた什器がある。また、什器の上部等に照明装置が設けられた什器もある。このような什器では、外部電源に接続された配線ケーブルが、什器に設けられた電源コンセントや照明装置に接続されている。
【先行技術文献】
【特許文献】
【０００５】
【特許文献１】特開２０１７−９８０５９号公報
【特許文献２】特開２０１７−５２１号公報
【特許文献３】特許第５８７７３７５号公報
【発明の概要】
【発明が解決しようとする課題】
【０００６】
上記の電源コンセントや照明装置等が設けられた什器には、外部電源と電源コンセント及び照明装置とに接続された配線ケーブルが露出すると、外観が損なわれてしまうという問題点がある。
【０００７】
本発明は、上記事情に鑑みてなされたものであり、什器に電源を供給するための配線ケーブルが露呈することが抑制された鏡付き什器を提供するものである。
【課題を解決するための手段】
【０００８】
上記目的を達成するために、本発明は以下の手段を採用している。
すなわち、本発明に係る鏡付き什器は、床面上に設置され、左右方向に離間して配置された一対の側部部材と、該一対の側部部材間の上部に、鏡面が前方を向くように配置された鏡と、上面に物品が載置可能とされ、前記一対の側部部材間に配置された天板と、前記一対の側部部材間の前記鏡よりも下方位置に配置された第一閉塞部材と、を備えた鏡付き什器であって、前記鏡及び前記第一閉塞部材の後方には、前記鏡付き什器の上部から下部まで連続し、配線ケーブルが挿通可能な配線挿通空間部が形成されていることを特徴とする。
【０００９】
このように構成された鏡付き什器では、鏡及び第一閉塞部材の後方には、鏡付き什器の上部から下部まで連続し、配線ケーブルが挿通可能な配線挿通空間部が形成されている。よって、天板上で使用する電気機器や什器に設けられた照明装置等に電源を供給するための配線ケーブルを配線挿通空間部内に配置して、配線ケーブルの露呈を抑制することができる。
【００１０】
また、本発明に係る鏡付き什器では、前記一対の側部部材間における前記配線挿通空間部の前方に配置され、電源コンセントが設けられた化粧パネルを備え、前記配線挿通空間部には、前記電源コンセントに接続された前記配線ケーブルが挿通可能であることが好ましい。
【００１１】
このように構成された鏡付き什器では、化粧パネルが配線挿通空間部の前方に配置され、配線挿通空間部には電源コンセントに接続された配線ケーブルが挿通可能である。よって、電源コンセントの差込口を使用して種々の電気機器を使用できるとともに、電源コンセントに接続された配線ケーブルを配線挿通空間部内に配置して、配線ケーブルの露呈を抑制することができる。
【００１２】
また、本発明に係る鏡付き什器では、前記鏡の上部に設けられた照明装置を備え、前記配線挿通空間部には、前記照明装置に接続された前記配線ケーブルが挿通可能であってもよい。
【００１３】
このように構成された鏡付き什器では、鏡の上部に照明装置が設けられ、配線挿通空間部には照明装置に接続された配線ケーブルが挿通可能である。よって、照度が確保されるとともに、照明装置に接続された配線ケーブルを配線挿通空間部内に配置して、配線ケーブルの露呈を抑制することができる。
【００１４】
また、本発明に係る鏡付き什器では、前記天板は、前記鏡の下方に配置され、前記天板の後端部は、前記鏡よりも後方に配置され、前記天板の後端部には、上方に延び、前記一対の側部部材間における前記配線挿通空間部の前方に配置された第二閉塞部材が設けられていてもよい。
【００１５】
このように構成された鏡付き什器では、第二閉塞部材及び天板の後端部は鏡よりも後方に配置され、天板の後端部から第二閉塞部材が上方に延びるように設けられている。つまり、鏡付き什器の前後方向の（奥行）寸法を長くすることなく、天板の後端部を後方に配置して、天板の前後方向の寸法を確保することができる。よって、天板の使用面積が広くなり、使い勝手が良い。また、天板の前後方向の長さが同じであり、天板の後端部が鏡と同一平面上にある場合と比較して、鏡が利用者側に近づいて（前方に）配置される。したがって、利用者が化粧等をする際に、鏡に映った自分の顔を明確に視認しやすい。
【発明の効果】
【００１６】
本発明に係る鏡付き什器によれば、什器に電源を供給するための配線ケーブルが露呈することを抑制できる。
【図面の簡単な説明】
【００１７】
【図１】本発明の一実施形態に係る鏡付き什器の斜視図である。
【図２】本発明の一実施形態に係る鏡付き什器の分解斜視図である。
【図３】本発明の一実施形態に係る鏡付き什器の縦断面図である。
【図４】本発明の一実施形態の変形例１に係る鏡付き什器の縦断面図である。
【図５】本発明の一実施形態の変形例２に係る鏡付き什器の斜視図である。
【発明を実施するための形態】
【００１８】
以下、本発明の一実施形態に係る鏡付き什器の一例として鏡台について、図面を参照して説明する。
図１は、発明の一実施形態に係る鏡付き什器の斜視図である。図１では、後述する配線の図示を省略している。
図１に示すように、鏡台１００は、構造体１と、一対の側板（側部部材）５と、鏡体６と、塞ぎ板７、化粧板（化粧パネル、第二閉塞部材）８と、天板９と、幕板（第一閉塞部材）１５と、を有している。
以下の説明において、利用者が鏡台１００と対向する方向を前後方向とし、水平方向のうち前後方向と直交する方向を左右方向とする。前後方向のうち、鏡台１００に対して利用者側を前側とし、反対側を後側とする。左右方向のうち後側から前側を見た状態の左側及び右側をそれぞれ左右方向の左側及び右側とする。
鏡台１００は、後部を壁や間仕切り等の壁面等の設置面Ｗ（図３参照）に沿って配置されている。
【００１９】
図２は、鏡台１００の分解斜視図である。図２では、後述する配線、上部照明装置及び下部照明装置の図示を省略している。
図２に示すように、構造体１は、上部フレーム体１０と、中間フレーム体２０と、下部フレーム体３０と、連結パネル４０と、を有している。構造体１は、床面上に立設されている。
【００２０】
上部フレーム体１０の下方に、中間フレーム体２０が配置されている。中間フレーム体２０の下方に、下部フレーム体３０が配置されている。連結パネル４０は、上部フレーム体１０、中間フレーム体２０及び下部フレーム体３０の左右両端部に配置されている。
【００２１】
図３は、鏡台１００の縦断面図である。
図３に示すように、上部フレーム体１０は、前板１１と、後板１２と、中間板１３と、下板１４と、を有している。前板１１、後板１２、中間板１３及び下板１４は、それぞれ平板状に形成されている。
【００２２】
前板１１及び後板１２は、板厚方向を前後方向に向けて配置されている。前板１１及び後板１２は、左右方向に長い形状をなしている。後板１２は、前板１１の後方に配置されている。
【００２３】
中間板１３及び下板１４は、板厚方向を上下方向に向けて配置されている。中間板１３は、前板１１の上下方向の略中央と後板１２の上下方向の略中央とを連結している。下板１４は、前板１１の下端部１１ｄと後板１２の下端部１２ｄとを連結している。
【００２４】
図２に示すように、中間フレーム体２０は、前板２１と、後板２２と、中間板２３と、一対の端部板２４と、を有している。前板２１、後板２２、中間板２３及び端部板２４は、それぞれ平板状に形成されている。
【００２５】
前板２１及び後板２２は、板厚方向を前後方向に向けて配置されている。前板２１及び後板２２は、左右方向に長い形状をなしている。後板２２は、前板２１の後方に配置されている。
【００２６】
中間板２３及び端部板２４は、板厚方向を左右方向に向けて配置されている。中間板２３は、前板２１の左右方向の略中央と後板２２の左右方向の略中央とを連結している。各端部板２４は、前板２１の左右方向の両端部と後板２２の左右方向の両端部とを連結している。
【００２７】
中間フレーム体２０では、前板２１と後板２２との間に、上下方向に貫通する空間部（以下、中間フレーム体空間部と称する）Ｓ１１が形成されている。中間フレーム体空間部は、中間板２３の左右方向両側に２箇所形成されている。
【００２８】
下部フレーム体３０は、前板３１と、後板３２と、中間板３３と、一対の端部板３４と、を有している。前板３１、後板３２、中間板３３及び端部板３４は、それぞれ平板状に形成されている。
【００２９】
前板３１及び後板３２は、板厚方向を前後方向に向けて配置されている。前板３１及び後板３２は、左右方向に長い形状をなしている。後板３２は、前板３１の後方に配置されている。
【００３０】
中間板３３及び端部板３４は、板厚方向を左右方向に向けて配置されている。中間板３３は、前板３１の左右方向の略中央と後板３２の左右方向の略中央とを連結している。各端部板３４は、前板３１の左右方向の両端部と後板３２の左右方向の両端部とを連結している。
【００３１】
下部フレーム体３０では、前板３１と後板３２との間に、上下方向に貫通する空間部（以下、下部フレーム体空間部と称する）Ｓ１２が形成されている。下部フレーム体空間部Ｓ１２は、中間板３３の左右方向両側に２箇所形成されている。
【００３２】
図３に示すように、上部フレーム体１０の前板１１、中間フレーム体２０の前板２１及び下部フレーム体３０の前板３１は、上下方向及び左右方向に沿う同一平面上に配置されている。
【００３３】
中間フレーム体２０の後板２２及び下部フレーム体３０の後板３２は、上下方向及び左右方向に沿う同一平面上に配置されている。上部フレーム体１０の後板１２は、中間フレーム体２０の後板２２及び下部フレーム体３０の後板３２よりも前方に配置されている。
【００３４】
図２に示すように、連結パネル４０は、上部フレーム体１０、中間フレーム体２０及び下部フレーム体３０の左右方向の両端部にわたって設けられている。連結パネル４０は、平板状に形成されている。連結パネル４０は、板厚方向を左右方向に向けて配置されている。連結パネル４０は、上部フレーム体１０、中間フレーム体２０及び下部フレーム体３０の左右方向の両端部に螺子等（不図示）で固定されている。
【００３５】
連結パネル４０は、前後方向に沿う面が上下方向に長い略長方形状に形成されるとともに、前端部４０ｆ及び後端部４０ｂにそれぞれ前側凹部４１及び後側凹部４２が形成されている。
【００３６】
連結パネル４０の前端部４０ｆの上下方向の略中央には、後方に凹む前側凹部４１が形成されている。前側凹部４１は、上壁部４１ａ、前向き壁部４１ｂ及び下壁部４１ｃにより構成されている。
【００３７】
上壁部４１ａは、連結パネル４０の前端部４０ｆから後方に延びている。前向き壁部４１ｂは、上壁部４１ａの後端部から下方に延びている。下壁部４１ｃは、前向き壁部４１ｂの下端部から前方に延びている。下壁部４１ｃは、中間フレーム体２０の上端部と水平面に沿う同一平面上に配置されている。
【００３８】
連結パネル４０の後端部４０ｂの下部には、前方に凹む後側凹部４２が形成されている。後側凹部４２は、上壁部４２ａ、後向き壁部４２ｂ及び下壁部４２ｃにより構成されている。
【００３９】
上壁部４２ａは、連結パネル４０の後端部４０ｂから前方に延びている。後向き壁部４２ｂは、上壁部４２ａの後端部から下方に延びている。下壁部４２ｃは、前向き壁部４１ｂの下端部から後方に延びている。下壁部４２ｃは、下部フレーム体３０の上端部と水平面に沿う同一平面上に配置されている。
【００４０】
構造体１の連結パネル４０間には、前側凹部４１の上部に、支持板４６が設けられている。支持板４６は、平板状に形成されている。支持板４６は、板厚方向を前後方向に向けて配置されている。支持板４６は、左右方向に長い形状をなしている。
【００４１】
一対の側板５は、左右方向に離間して、互いに平行配置されている。各側板５は、平板状に形成され、床面上に立設されている。各側板５は、板厚方向を左右方向に向けて配置されている。側板５は、構造体１の連結パネル４０に、連結パネル４０側から螺子等（不図示）により固定されている。
【００４２】
側板５は、上下方向に長く、前後方向に短い略長方形から、上端部５ｕ且つ前端部５ｆ側において上下方向に長く前後方向に短い略長方形が切り欠かれた形状をなしている。換言すると、側板５は、床面上に立設された下部側板部５１と、下部側板部５１に連続して上方に延びる上部側板部５２と、を有している。下部側板部５１及び上部側板部５２は、一体として形成されている。
【００４３】
下部側板部５１は、上下方向に長く、前後方向に短い略長方形をなしている。上部側板部５２は、下部側板部５１の上端部５１ｕ且つ後端部５１ｂから上方に延びている。上部側板部５２は、上下方向に長く、前後方向に短い略長方形をなしている。
【００４４】
上部側板部５２の前後方向の長さは、下部側板部５１の前後方向の長さよりも短い。上部側板部５２の前端部５２ｆは、下部側板部５１の前端部５１ｆよりも後方に配置されている。上部側板部５２の後端部５２ｂは、下部側板部５１の後端部５１ｂと上下方向及び左右方向に沿う同一平面上に配置されている。
【００４５】
図１に示すように、鏡体６は、一対の側板５間の上部に設けられている。図２に示すように、鏡体６は、鏡枠体６０と、上部フレーム６６と、下部フレーム６７と、鏡本体（鏡）６９と、を有している。
【００４６】
鏡枠体６０は、上板６１と、下板６２と、中間板６３と、一対の端部板６４と、を有している。上板６１、下板６２、中間板６３及び端部板６４は、それぞれ平板状に形成されている。鏡体６の左右方向の長さは、構造体１の左右方向の長さと略同一である。
【００４７】
上板６１及び下板６２は、板厚方向を前後方向に向けて配置されている。上板６１及び下板６２は、左右方向に長い形状をなしている。下板６２は、上板６１の下方に配置されている。
【００４８】
中間板６３及び端部板６４は、板厚方向を前後方向に向けて配置されている。中間板６３は、上板６１の左右方向の略中央と下板６２の左右方向の略中央とを連結している。各端部板６４は、上板６１の左右方向の両端部と下板６２の左右方向の両端部とを連結している。
【００４９】
鏡枠体６０の各端部板６４の上端部は、構造体１の上部フレーム体１０の前板１１の左右両端部に螺子等（不図示）で固定されている。鏡枠体６０の上板６１の左右方向の中央は、構造体１の上部フレーム体１０の前板１１の左右方向の中央に螺子等（不図示）で固定されている。鏡枠体６０の各端部板６４の下端部は、構造体１の前側凹部４１の上部に設けられた支持板４６の左右両端部に螺子等（不図示）で固定されている。鏡枠体６０の中間板６３の下端部は、構造体１に設けられた支持板４６の左右方向の中央に螺子等（不図示）で固定されている。
【００５０】
上部フレーム６６は、前後方向且つ上下方向に沿う断面が下向きコ字状をなしている。下部フレーム６７は、前後方向且つ上下方向に沿う断面が上向きコ字状をなしている。上部フレーム６６及び下部フレーム６７は、左右方向に延びている。
【００５１】
上部フレーム６６は、鏡枠体６０の上板６１及び端部板６４の上端部に固定されている。下部フレーム６７は、鏡枠体６０の下板６２及び端部板６４の下端部に固定されている。
【００５２】
鏡本体６９は、上端部６９ｕが上部フレーム６６が嵌め込まれ、下端部６９ｄが下部フレーム６７が嵌め込まれている。鏡本体６９は、鏡面６９ｆが前方を向くように配置されている。
【００５３】
図１に示すように、鏡体６は、一対の側板５の上部側板部５２間に配置されている。鏡体６は、側板５の上部側板部５２の前端部５２ｆよりも後方に配置されている。鏡体６の下端部６ｄは、側板５の下部側板部５１の上端部５１ｕよりも上方に配置されている。
【００５４】
図３に示すように、支持板４６の下端部４６ｄには、後方に延びるように塞ぎ板７が設けられている。塞ぎ板７は、一対の側板５間に配置されている。塞ぎ板７は、構造体１の前側凹部４１の上壁部４１ａ（図２参照）に沿って設けられている。
【００５５】
図２に示すように、塞ぎ板７は、平板状に形成されている。塞ぎ板７は、板厚方向を上下方向に向けて配置されている。支持板４６の左右方向の長さは、構造体１の左右方向の長さと略同一である。
【００５６】
図３に示すように、塞ぎ板７の後端部７ｂには、下方に延びるように化粧板８が設けられている。化粧板８は、一対の側板５間に配置されている。化粧板８は、構造体１の前側凹部４１の前向き壁部４１ｂ（図２参照）に沿って設けられている。
【００５７】
図２に示すように、化粧板８は、平板状に形成され、前面に化粧仕上げが施されている。化粧板８は、板厚方向を前後方向に向けて配置されている。化粧板８の左右方向の長さは、構造体１の左右方向の長さと略同一である。
【００５８】
図１に示すように、化粧板８には、電源コンセントユニット（電源コンセント）８１及びスイッチ８２が、左右方向に離間して一対設けられている。各電源コンセントユニット８１には、３個のコンセント差込口８１ａが設けられている。スイッチ８２は、後述する上部照明装置９６及び下部照明装置９７（図３参照）の電源のオン・オフ操作が可能な構成とされている。一方のスイッチ８２が上部照明装置９６の電源のオン・オフ操作が可能であり、他方のスイッチ８２が下部照明装置９７の電源のオン・オフ操作が可能であってもよい。あるいは、スイッチ８２が一つだけ設けられ、当該スイッチ８２が上部照明装置９６及び下部照明装置９７の電源のオン・オフ操作を兼用できる構成であってもよい。
【００５９】
図３に示すように、化粧板８は、鏡体６の後方に配置されている。化粧板８の上部と鏡体６の下部とは前後方向に重なって配置されている。化粧板８の上端部８ｕは、鏡体６の下端部６ｄよりも上方に配置されている。化粧板８の下端部８ｄは、鏡体６の下端部６ｄよりも下方に配置されている。
【００６０】
天板９は、鏡体６及び化粧板８の下方に設けられている。天板９は、一対の側板５間に配置されている。天板９は、構造体１の前側凹部４１の下壁部４１ｃ（図２参照）に沿って設けられている。
【００６１】
図２に示すように、天板９は、平板状に形成されている。天板９は、板厚方向を上下方向に向けて配置されている。天板９は、左右方向に長い略長方形状をなしている。天板９の左右方向の長さは、構造体１の左右方向の長さと略同一である。天板９の上面９ｕは、物品が載置可能とされている。
【００６２】
図１に示すように、天板９は、一対の側板５の上下方向の中間どうしを連結するように、一対の側板５の下部側板部５１間に架設されている。天板９は、一対の側板５の下部側板部５１の上端部５１ｕよりも下方の部分どうしを連結している。
【００６３】
図３に示すように、天板９の左右方向の両端部は、側板５の内面（対向する側板５側を向く面）に連結金具９１を介して連結されている。連結金具９１は、正面視Ｌ字状をなしている。連結金具９１の上部が天板９の下面に螺子等（不図示）で螺子止めされ、連結金具９１の側部が側板５の内面に螺子等（不図示）で螺子止めされている。
【００６４】
天板９は、下部側板部５１の上端部５１ｕよりも下方に配置されている。換言すると、下部側板部５１の上部は、天板９よりも上方に突出している。
【００６５】
天板９の後端部９ｂは、鏡体６よりも後方に配置されている。天板９の後端部９ｂは、化粧板８の下端部８ｄと当接配置されている。換言すると、化粧板８は、天板９の後端部９ｂから立設されている。塞ぎ板７、化粧板８及び天板９により、鏡体６よりも後方に凹む凹部空間部Ｔ１が形成されている。
【００６６】
図１に示すように、幕板１５は、一対の側板５の下部側板部５１間に配置されている。幕板１５により、一対の側板５間は閉塞されている。幕板１５は、天板９の下方に配置されている。
【００６７】
幕板１５は、平板状に形成されている。幕板１５は、板厚方向を前後方向に向けて配置されている。幕板１５は、左右方向に長い略長方形状をなしている。幕板１５の左右方向の長さは、構造体１の左右方向の長さと略同一である。
【００６８】
図３に示すように、幕板１５の後面に設けられた取付金具１５ａが、構造体１の連結パネル４０に設けられた係止突起４０ａに係止されている。幕板１５の上端部１５ｕは、構造体１の中間フレーム体２０の前板２１の前面に当接配置されている。幕板１５の下端部１５ｄは、構造体１の下部フレーム体３０の前板３１の前面に当接配置されている。
【００６９】
図１に示すように、天板９の下方には、天板９、一対の側板５の下部側板部５１及び幕板１５で囲まれた下部空間部Ｔ２が形成されている。下部空間部Ｔ２には、ゴミ箱や椅子等の物品を置いたり、利用者が下肢を入れたりすることができる。
【００７０】
鏡本体６９の鏡面６９ｆの上端部には、上部照明装置９６が設けられている。上部照明装置９６は、下方を照らす構成とされている。上部照明装置９６は、略直方体状をなしている。上部照明装置９６は、鏡面６９ｆに沿って、鏡面６９ｆの左右方向の全長にわたって設けられている。
【００７１】
図３に示すように、鏡台１００の上下方向の中間には、下部照明装置９７が設けられている。下部照明装置９７は、下方を照らす構成とされている。下部照明装置９７は、略直方体状をなしている。鏡体６の下端部６ｄの後方には、上方に凹む照明空間部Ｔ３が形成されている。下部照明装置９７は、鏡体６、塞ぎ板７及び化粧板８で囲まれた照明空間部Ｔ３内に配置されている。下部照明装置９７は、塞ぎ板７の下面に沿って、塞ぎ板７の左右方向の全長にわたって設けられている。
【００７２】
上記の鏡台１００では、鏡体６、塞ぎ板７、化粧板８、天板９及び幕板１５の後方には、壁面等の設置面Ｗとの間に、後述する種々の配線（配線ケーブル）Ｃが挿通可能な配線挿通空間部Ｓが形成されている。配線挿通空間部Ｓは、鏡台１００の上端部１００ｕから下端部１００ｄまで、上下方向にわたって連続して形成されている。なお、後述する種々の配線を総称して、配線Ｃと称することがある。
【００７３】
上部照明装置９６の上端部に接続された上部照明配線（配線Ｃケーブル）Ｃ１は、上方に延びた後、後方に延び、構造体１の上部フレーム体１０の後方且つ鏡台１００の上端部１００ｕから配線挿通空間部Ｓ内に挿通されている。上部照明配線Ｃ１は、下方に延び、一方のスイッチ８２に接続されている。
【００７４】
下部照明装置９７の上端部に接続された下部照明配線（配線Ｃケーブル）Ｃ２は、上方に延び、塞ぎ板７に形成された上下方向の貫通孔である配線開口７ｈに挿通され、配線挿通空間部Ｓに配置されている。下部照明配線Ｃ２は、配線開口７ｈに挿通された後、後方に延び、その後下方に延びている。下部照明配線Ｃ２は、他方のスイッチ８２に接続されている。
【００７５】
スイッチ８２の後部に接続されたスイッチ配線（配線Ｃケーブル）Ｃ３は、配線挿通空間部Ｓに配置されている。スイッチ配線Ｃ３は、後方に延びた後、下方に延び、構造体１の中間フレーム体空間部Ｓ１１に挿通され、更に下方に延びている。スイッチ配線Ｃ３は、構造体１の下部フレーム体３０の下部フレーム体空間部Ｓ１２に挿通され、下部フレーム体空間部Ｓ１２内に配置されたテーブルタップ（不図示）や床下配線（不図示）に接続されている。
【００７６】
電源コンセントユニット８１に接続されたコンセント配線は（配線Ｃケーブル）Ｃ４は、配線挿通空間部Ｓに配置されている。コンセント配線Ｃ４は、後方に延びた後、下方に延び、構造体１の中間フレーム体空間部Ｓ１１に挿通され、更に下方に延びている。コンセント配線Ｃ４は、構造体１の下部フレーム体３０の下部フレーム体空間部Ｓ１２に挿通され、下部フレーム体空間部Ｓ１２内に配置されたテーブルタップ（不図示）や床下配線（不図示）に接続されている。
【００７７】
また、図２に示す構造体１を左右方向に複数隣接配置する場合には、一の構造体１の連結パネル４０の後側凹部４２は、隣接する他の構造体１の連結パネル４０の後側凹部４２と隣接される。隣接する後側凹部４２には、配線Ｃが挿通可能とされている。これにより、配線Ｃを左右方向に配索することができる。
【００７８】
このように構成された鏡台１００では、鏡体６、天板９及び幕板１５よりも後方には、鏡台１００の上端部１００ｕから下端部１００ｄまで連続し、配線Ｃが挿通可能な配線挿通空間部Ｓが形成されている。よって、天板９上で使用する電気機器や鏡台１００に設けられた上部照明装置９６及び下部照明装置９７に電源を供給するための配線Ｃを配線挿通空間部Ｓ内に配置して、配線Ｃの露呈を抑制することができる。
【００７９】
また、化粧板８が配線挿通空間部Ｓの前方に配置され、配線挿通空間部Ｓには電源コンセントユニット８１に接続されたコンセント配線Ｃ４が挿通可能である。よって、電源コンセントユニット８１のコンセント差込口８１ａを使用して種々の電気機器を使用できるとともに、電源コンセントユニット８１に接続されたコンセント配線Ｃ４を配線挿通空間部Ｓ内に配置して、コンセント配線Ｃ４の露呈を抑制することができる。
【００８０】
また、鏡台１００の上端部１００ｕ及び上下方向の中間には上部照明装置９６及び下部照明装置９７がそれぞれ設けられ、配線挿通空間部Ｓには上部照明装置９６及び下部照明装置９７に接続された上部照明配線Ｃ１及び下部照明配線Ｃ２が挿通可能である。よって、照度が確保されるとともに、上部照明装置９６及び下部照明装置９７に接続された上部照明配線Ｃ１及び下部照明配線Ｃ２を配線挿通空間部Ｓ内に配置して、上部照明配線Ｃ１及び下部照明配線Ｃ２の露呈を抑制することができる。
【００８１】
また、化粧板８及び天板９の後端部９ｂは鏡体６よりも後方に配置され、天板９の後端部９ｂから化粧板８が上方に延びるように設けられている。つまり、鏡台１００の前後方向の（奥行）寸法を長くすることなく、天板９の後端部９ｂを後方に配置して、天板９の前後方向の寸法を確保することができる。よって、天板９の使用面積が広くなり、使い勝手が良い。また、天板９の前後方向の長さが同じであり、天板の後端部が鏡体と同一平面上にある場合と比較して、鏡体６が利用者側に近づいて（前方に）配置される。したがって、利用者が化粧等をする際に、鏡に映った自分の顔を明確に視認しやすい。
【００８２】
（変形例１）
上記に示す実施形態の変形例１について、主に図４を用いて説明する。
以下の変形例において、前述した実施形態で用いた部材と同一の部材には同一の符号を付して、その説明を省略する。
図４は、本発明の一実施形態の変形例１に係る鏡付き什器の縦断面図である。
上記に示す実施形態では鏡台１００に鏡本体６９よりも後方に凹む凹部空間部Ｔ１が形成されているが、図４に示す本変形例では鏡台１００Ｘには凹部空間部Ｔ１が形成されていない。
【００８３】
鏡台１００Ｘでは、鏡枠体６０の下端部６０ｂ及び化粧板８の上端部８ｕは、支持板４６に連結されている。鏡体６の鏡枠体６０の下端部６０ｂと化粧板８の上端部８ｕとは、当接配置されている。鏡枠体６０の前面６０ｆと化粧板８の前面８ｆとは、上下方向且つ左右方向に沿う同一平面上に配置されている。なお、鏡本体６９の鏡面６９ｆと化粧板８の前面８ｆとが、上下方向且つ左右方向に沿う同一平面上に配置されていてもよい。
【００８４】
このように構成された鏡台１００Ｘでは、鏡体６、天板９及び幕板１５よりも後方には、鏡台１００Ｘの上端部１００ｕから下端部１００ｄまで連続し、配線Ｃが挿通可能な配線挿通空間部Ｓが形成されている。よって、天板９上で使用する電気機器等に電源を供給するための配線Ｃを配線挿通空間部Ｓ内に配置して、配線Ｃの露呈を抑制することができる。
【００８５】
また、鏡枠体６０の前面６０ｆと化粧板８の前面８ｆとは同一平面上に配置され前後方向に凹んだり膨らんだりすることなく、スマートな外観とすることができる。
【００８６】
（変形例２）
上記に示す実施形態の変形例２について、主に図５を用いて説明する。
図５は、本発明の一実施形態の変形例２に係る鏡付き什器の斜視図である。
図５に示すように、本変形例に係る鏡台１００Ｙでは、天板９の下方に棚板１６が設けられている。棚板１６は、平板状に形成されている。棚板１６は、板厚方向を上下方向に向けて配置されている。棚板１６の上面１６ｕは、物品が載置可能とされている。
【００８７】
棚板１６は、一対の側板５どうしを天板９よりも下方の位置で連結するように、一対の側板５の下部側板部５１間に架設されている。
【００８８】
天板９の左右方向の略中央と棚板１６の左右方向の略中央とは、中間板１7で連結されている。中間板１７は、平板状に形成され、板厚方向を左右方向に向けて配置されている。
【００８９】
このように構成された鏡台１００Ｙでは、鏡体６、天板９及び幕板１５よりも後方には、鏡台１００Ｙの上端部１００ｕから下端部１００ｄまで連続し、配線が挿通可能な配線挿通空間部Ｓが形成されている。よって、天板９上で使用する電気機器等に電源を供給するための配線を配線挿通空間部Ｓ内に配置して、配線の露呈を抑制することができる。
【００９０】
また、天板９及び棚板１６は、一対の側板５の下部側板部５１間に架設されている。よって、一対の側板５どうしは天板９及び棚板１６により、上下２箇所で連結されているため、什器としての剛性が高められる。
【００９１】
また、上述した実施の形態において示した各構成部材の諸形状や組み合わせ等は一例であって、本発明の主旨から逸脱しない範囲において設計要求等に基づき種々変更可能である。
【００９２】
例えば、上記に示す実施形態では、側部部材として、板状に形成された側板５を例に挙げて説明したが、本発明はこれに限られない。例えば、側部部材が、床面上に設置され左右方向に離間して配置された棚等の収納ユニットであってもよい。
【００９３】
また、上記に示す実施形態では、一対の側部部材間の下部に配置された第一閉塞部材として、板状に形成された幕板１５を例に挙げて説明したが、本発明はこれに限られない。例えば、第一閉塞部材が一対の側部部材間の下部に配置された収納ユニットであり、前面に開閉可能な扉が設けられた収納ユニットであったり、引き出し式の収納ユニットであったりしてもよい。
【００９４】
また、上記に示す実施形態では、配線挿通空間部Ｓが鏡体６、塞ぎ板７、化粧板８、天板９及び幕板１５と壁との間に形成されているが、本発明はこれに限られない。例えば、鏡付き什器の後部に板状に形成され板厚方向を前後方向に向けて配置されたような背板が設けられ、配線挿通空間部が、鏡、天板及び第一閉塞部材と背板との間に形成されていてもよい。
【００９５】
また、上記に示す実施形態では、天板９の後端部９ｂは化粧板８の下端部８ｄまで延びているが、本発明はこれに限られない。天板９の後端部が構造体１の後端部まで延び、天板における配線挿通空間部に位置する後部には、上下方向に貫通する配線開口（不図示）が形成されている構成であってもよい。この場合には、配線挿通空間部内の配線は、天板の配線開口に挿通されて、上下方向に配索される。
【符号の説明】
【００９６】
１…構造体
５…側板（側部部材）
６…鏡体
７…塞ぎ板
８…化粧板（化粧パネル、第二閉塞部材）
９…天板
１０…上部フレーム体
１５…幕板（第一閉塞部材）
２０…中間フレーム体
３０…下部フレーム体
４０…連結パネル
４１…前側凹部
４２…後側凹部
４６…支持板
５１…下部側板部
５２…上部側板部
６０…鏡枠体
６９…鏡本体（鏡）
６９ｆ…鏡面
８１…電源コンセントユニット（電源コンセント）
８１ａ…コンセント差込口
８２…スイッチ
９６…上部照明装置
９７…下部照明装置
１００，１００Ｘ，１００Ｙ…鏡台
Ｃ…配線（配線Ｃケーブル）
Ｃ１…上部照明配線（配線Ｃケーブル）
Ｃ２…下部照明配線（配線Ｃケーブル）
Ｃ３…スイッチ配線（配線Ｃケーブル）
Ｃ４…コンセント配線（配線Ｃケーブル）
Ｓ…配線挿通空間部
Ｔ１…凹部空間部
Ｔ２…下部空間部
【図１】
2019072379.tif 000003
【図２】
2019072379.tif 000004
【図３】
2019072379.tif 000005
【図４】
2019072379.tif 000006
【図５】
2019072379.tif 000007